(57)【要約】【課題】過給機付きエンジンにおいて吸気温度を低下させながら、過給圧の減少を抑制する。【解決手段】吸気通路８と蓄圧タンク２１とを連結する分岐流路弁２２の開弁によって、分岐流路２０の接続点の近傍の空気の圧力を急激に低減させ、これに伴い脈動する吸気圧力の極小部分となる負圧波を、吸気弁１１の開弁期間内に燃焼室２に到達させる。吸気圧力の低減によって吸気温度を低下させることができる。分岐流路弁２２の開弁及び閉弁が１燃焼サイクル中に少なくとも各１回行われると、その閉弁中には過給圧の減少が抑制されるので、過給圧の減少を全体として抑制することができる。【選択図】図１
2010019085.tif 000002
【特許請求の範囲】
【請求項１】
過給機を備えたエンジンの吸気制御装置であって、
エンジンの吸気通路における前記過給機のコンプレッサよりも下流側の所定点と所定の外部空間とを接続する分岐流路と、
前記分岐流路を開閉する分岐流路弁と、
前記分岐流路弁を制御する制御手段と、を備え、
前記制御手段は、前記吸気通路の圧力が前記外部空間の圧力よりも高い場合に、前記分岐流路弁の開弁に伴い脈動する吸気圧力の極小部分となる負圧波が吸気弁の開弁期間内に燃焼室に到達するように、前記分岐流路弁を１燃焼サイクル中に少なくとも１回開弁及び少なくとも１回閉弁させることを特徴とするエンジンの吸気制御装置。
【請求項２】
請求項１に記載のエンジンの吸気制御装置であって、
前記所定点はスロットル弁下流側の前記吸気通路であり、
前記所定の外部空間は、コンプレッサ上流側の前記吸気通路、蓄圧タンク、及び大気開放領域のうち少なくともいずれかであることを特徴とするエンジンの吸気制御装置。
【請求項３】
請求項１又は２に記載のエンジンの吸気制御装置であって、
車両の運転状態に基づいて前記分岐流路弁の開弁時期を設定する設定手段を更に備え、前記制御手段は、設定された開弁時期に前記分岐流路弁を開弁させることを特徴とするエンジンの吸気制御装置。
【請求項４】
請求項１又は２に記載のエンジンの吸気制御装置であって、
前記所定の外部空間は蓄圧タンクを含み、
前記制御手段は更に、前記吸気通路の圧力が予め定められた蓄圧しきい値よりも低い場合に前記分岐流路弁を開弁させることを特徴とするエンジンの吸気制御装置。
【請求項５】
請求項１ないし４のいずれかに記載のエンジンの吸気制御装置であって、
車両の運転状態に基づいて点火時期を設定する点火時期設定手段を更に備えたことを特徴とするエンジンの吸気制御装置。
【請求項６】
請求項５に記載のエンジンの吸気制御装置であって、
前記車両の運転状態は、前記吸気通路の圧力及び前記分岐流路弁の動作履歴を含むことを特徴とするエンジンの吸気制御装置。
【請求項７】
請求項１ないし６のいずれかに記載のエンジンの吸気制御装置であって、
前記所定の外部空間は蓄圧タンクを含み、
当該蓄圧タンクと大気開放領域とを接続する内圧調整路と、
当該内圧調整路を開閉する内圧調整弁と、を更に備え、
前記制御手段は更に、前記蓄圧タンクの圧力が予め定められた高圧しきい値よりも高い場合に前記内圧調整弁を開弁させることを特徴とするエンジンの吸気制御装置。
【請求項８】
請求項７に記載のエンジンの吸気制御装置であって、
前記内圧調整路と大気開放領域の間に発電用タービンが設けられており、前記内圧調整路からの空気流により当該発電用タービンが駆動されることを特徴とするエンジンの吸気制御装置。
【発明の詳細な説明】
【技術分野】
【０００１】
本発明は、エンジンの吸気通路の圧力を制御するための吸気制御装置に関する。
【背景技術】
【０００２】
過給機付きエンジンでは、吸気通路中にコンプレッサが設けられ、当該コンプレッサによって過給された空気がエンジンに供給される。特許文献１が開示する装置では、過給に伴う吸気温度の上昇によって生ずる充填効率の低下を防ぐために、吸気通路のコンプレッサ上流側とスロットルバルブ下流側とをバイパスするバイパス通路が設けられている。この装置では、過給を必要としない運転領域で、コンプレッサをバイパスして空気を燃焼室に供給している。
【０００３】
【特許文献１】特開２００１−２４８４５２号公報
【発明の開示】
【発明が解決しようとする課題】
【０００４】
しかし、特許文献１の装置は、バイパス通路から低圧の空気を導入するため、過給圧が下がってしまい、出力の低下や、急加速操作の際の応答遅れ（いわゆるターボラグ）が顕著になる可能性が高い。
【０００５】
そこで本発明の目的は、過給機付きエンジンにおいて吸気温度を低下させながら、過給圧の減少を抑制することにある。
【課題を解決するための手段】
【０００６】
本発明の第１の態様は、過給機を備えたエンジンの吸気制御装置であって、エンジンの吸気通路における前記過給機のコンプレッサよりも下流側の所定点と所定の外部空間とを接続する分岐流路と、前記分岐流路を開閉する分岐流路弁と、前記分岐流路弁を制御する制御手段と、を備え、前記制御手段は、前記吸気通路の圧力が前記外部空間の圧力よりも高い場合に、前記分岐流路弁の開弁に伴い脈動する吸気圧力の極小部分となる負圧波が吸気弁の開弁期間内に燃焼室に到達するように、前記分岐流路弁を１燃焼サイクル中に少なくとも１回開弁及び少なくとも１回閉弁させることを特徴とするエンジンの吸気制御装置である。
【０００７】
本発明では、分岐流路弁の開弁によって、分岐流路の接続点の近傍の空気の圧力が局地的に低減される。この圧力の局地的な低減によって脈動する吸気圧力の極小部分となる負圧波は、吸気弁の開弁期間内に燃焼室に到達するので、圧力の低減によって吸気温度が低下させられる。分岐流路弁の開弁及び閉弁が１燃焼サイクル中に少なくとも各１回行われると、その閉弁中には過給圧の減少が抑制されるので、過給圧の減少を全体として抑制することができる。なお、本発明における「負圧波」の語は吸気圧力の極小部分を意味するものであって、その圧力値が正圧である場合を広く含む。
【０００８】
好適には、前記所定点はスロットル弁下流側の前記吸気通路であり、前記所定の外部空間は、コンプレッサ上流側の前記吸気通路、蓄圧タンク、及び大気開放領域のうち少なくともいずれかである。
【０００９】
好適には、本発明の装置は、車両の運転状態に基づいて前記分岐流路弁の開弁時期を設定する設定手段を更に備え、前記制御手段は、設定された開弁時期に前記分岐流路弁を開弁させる。ここにいう車両の運転状態は、吸気通路内の圧力及び／又は温度、あるいはこれらに関連するパラメータ、例えばエンジン回転数及び負荷とするのが特に好適である。
【００１０】
好適には、前記所定の外部空間は蓄圧タンクを含み、制御手段は更に、吸気通路の圧力が予め定められた蓄圧しきい値よりも低い場合に分岐流路弁を開弁させる。この場合には、蓄圧タンク内の圧力上昇を抑制でき、これによって燃焼室内の圧力を好適に制御できる。
【００１１】
好適には、本発明の装置は、車両の運転状態に基づいて点火時期を設定する点火時期設定手段を更に備える。この場合には点火時期を更に適正にすることが可能になる。
【００１２】
点火時期設定手段を備える場合には、前記車両の運転状態は、好適には、前記吸気通路の圧力及び前記分岐流路弁の動作履歴を含む。
【００１３】
好適には、前記所定の外部空間は蓄圧タンクを含み、本発明の装置は、当該蓄圧タンクと大気開放領域とを接続する内圧調整路と、当該内圧調整路を開閉する内圧調整弁と、を更に備え、前記制御手段は更に、前記蓄圧タンクの圧力が予め定められた高圧しきい値よりも高い場合に前記内圧調整弁を開弁させる。この場合には、蓄圧タンク内の圧力の上昇を抑制することができる。
【００１４】
内圧調整路を設ける場合には、当該内圧調整路と大気開放領域の間に発電用タービンを設け、前記内圧調整路からの空気流により当該発電用タービンが駆動されてもよい。この場合には蓄圧タンクから排出される空気からエネルギを回収することが可能になる。
【発明を実施するための最良の形態】
【００１５】
本発明による吸気制御装置を直噴形式のガソリンエンジンに応用した一実施形態について、図１〜図３を参照しながら詳細に説明する。しかしながら、本発明はこのような実施形態のみに限らず、特許請求の範囲に記載された本発明の概念に包含されるあらゆる変更や修正が可能であり、従って本発明の精神に帰属する他の任意の技術にも当然応用することができることに注意しなければならない。
【００１６】
図１において、本発明の実施形態に係るエンジン１は、ガソリン内燃機関であり、シリンダ内に形成された燃焼室２に高圧空気を過給するために、ターボチャージャ３が設置されている。ターボチャージャ３は、タービンホイール４と、コンプレッサホイール５と、これらのホイール４，５の中心部を連結するシャフト６とを有する。タービンホイール４は排気通路７に、コンプレッサホイール５は吸気通路８内にそれぞれ設けられ、排気通路７及び吸気通路８は燃焼室２に連通している。排気通路７を通る排気ガスによりタービンホイール４が回転駆動されてコンプレッサホイール５が回転し、これにより、大気口から吸気通路８内に吸入される空気は高圧にされて燃焼室２に向けて給送される。
【００１７】
燃焼室２にそれぞれ臨む吸気ポート９および排気ポート１０には、吸気ポート９を開閉する吸気弁１１、排気ポート１０を開閉する排気弁１２が配置され、燃焼室２内には混合気を着火させる点火プラグ１４が組み込まれている。
【００１８】
吸気弁１１および排気弁１２を駆動する動弁機構２７は、吸気弁１１および排気弁１２を個別に任意の開度およびタイミングで制御することが可能な機構であり、吸気弁１１と排気弁１２とにそれぞれ個別に設けられたソレノイドを含んでいる。なお、このような構成に代えて、動弁機構２７としては例えば２種類のカムを油圧によって切り替えることによってバルブタイミングおよびカムプロフィールを任意に変更できる可変バルブタイミング機構（VVT; Variable Valve Timing mechanism）を用いてもよい。
【００１９】
吸気ポート９に連通するようにシリンダヘッドに連結されて吸気ポート９と共に吸気通路８を画成する吸気管の上流端側には、加圧された空気を冷却するためのインタークーラ１５が設けられている。このインタークーラ１５よりも下流側の吸気通路８には、スロットル弁１６が設けられている。スロットル弁１６は、アクセルペダルセンサ１７が検出したアクセルペダルの踏み込み量に基づき、スロットルアクチュエータ１８によって開度が調整される。本実施形態では、アクセルペダルの踏み込み動作と、スロットル弁１６の開閉動作とを切り離して電気的に制御できるようにしているが、スロットル弁１６はアクセルペダルと機械的に連結されていてもよい。さらに、スロットル弁１６の下流側には、サージタンク１９が設けられている。
【００２０】
コンプレッサホイール５、インタークーラ１５、スロットル弁１６及びサージタンク１９よりも下流側の吸気通路８には、分岐流路２０が接続されている。吸気通路８に対する分岐流路２０の接続点は、各気筒への分岐点（いわゆるインテークマニホールド集合部）よりも下流側である。分岐流路２０の末端には、蓄圧タンク２１が接続されている。蓄圧タンク２１は全気筒について共通であっても良く、あるいは気筒ごとに設けられていても良い。蓄圧タンク２１は、低圧空気を保持可能な密閉性を有する。分岐流路２０には、分岐流路弁２２が設けられてこの分岐流路２０を開閉し、これにより蓄圧タンク２１と吸気通路８とを連通もしくは遮断する。分岐流路弁２２及びそのアクチュエータ２３は、吸気弁１１の開閉時期に応じて所望の時期に正確に分岐流路弁２２が開閉するように、極めて制御応答性の高いものである。分岐流路弁２２の形式はロータリー弁であるが、シャッター弁やバタフライ弁など任意の他のものを採用してもよい。
【００２１】
本実施形態における分岐流路弁２２は、その開弁に伴い脈動する吸気圧力の極小部分となる負圧波が、吸気弁１１の開弁期間内に燃焼室２に到達するように、予め定められた条件下で、１燃焼サイクル中に少なくとも１回開弁及び少なくとも１回閉弁させられる。本実施形態では、分岐流路弁２２は吸気弁１１の開弁時間中に開弁及び閉弁するが、分岐流路弁２２の開弁時期は吸気弁１１の開弁時期よりも早くてもよく、また分岐流路弁２２の閉弁時期は吸気弁１１の閉弁時期より遅くてもよい。この結果、吸気弁１１の開弁期間中に、過給によって高圧となった吸気のうち、分岐流路弁２２の開弁に伴い脈動する吸気圧力の極小部分となる負圧波の全部又は少なくとも一部が燃焼室２内に作用し、燃焼室２内の圧力を低減させることができる。
【００２２】
エンジン１のクランク軸の近傍には、クランク角センサ２４が配置されている。吸気通路８におけるコンプレッサ５よりも上流側には、吸入空気量を検出してこれをＥＣＵ３０に出力するエアフローメータ２５が配置されている。
【００２３】
装置の動作を制御する電子制御装置（以下ＥＣＵという）３０は、周知のワンチップマイクロプロセッサであり、データバスにより相互接続されたＣＰＵ、ＲＯＭ、ＲＡＭ、不揮発性メモリ及び入出力インターフェイスを含む。ＥＣＵ３０は、センサ２４，２５などからの検出信号に基づき、予め設定されたプログラムに従って円滑なエンジン１の運転がなされるように、点火プラグ１４，スロットルアクチュエータ１８，アクチュエータ２３，燃料噴射弁２などの作動を制御するようになっている。また、燃料噴射弁２からの燃料の噴射量は、図示しないアクセルペダルの踏み込み量、スロットル弁１６の開度や図示しないエアフローメータの検出値に応じて算出される負荷（１気筒あたりの吸入空気量Ｇａ）に対して、所定の割合となるように設定される。
【００２４】
ＥＣＵ３０のＲＯＭには、車両の運転状態を示すパラメータと分岐流路弁２２の開弁時期及び閉弁時期とを関連付けて記憶させた開弁時期マップが格納されている。ＥＣＵ３０はこの開弁時期マップの参照によって、分岐流路弁２２を設定された時期に開弁及び閉弁させる。運転状態を示すパラメータとして、クランク角センサ２４によって検出されるエンジン回転数Ｎｅ、及びエアフローメータ２５によって検出される負荷（１気筒あたりの吸入空気量Ｇａ）が用いられる。
【００２５】
またＥＣＵ３０のＲＯＭには、車両の運転状態を示すパラメータと点火プラグ１４の点火時期とを関連付けて記憶させた点火時期マップが格納されている。ＥＣＵ３０はこの点火時期マップの参照によって、点火プラグ１４を設定された時期に点火させる。運転状態を示すパラメータとして、蓄圧タンク２１の圧力の推定値である推定圧力Ｐ、エンジン回転数Ｎｅ、及び負荷（１気筒あたりの吸入空気量Ｇａ）が用いられる。蓄圧タンク２１の推定圧力Ｐの算出には、スロットル弁１６の開度、吸気通路８の推定圧力Ｐａ、並びに分岐流路弁２２の動作履歴が用いられる。吸気通路８の推定圧力Ｐａの算出には、スロットル弁１６の開度が用いられるが、推定圧力に代えて吸気通路８における分岐点の近傍に吸気圧センサ２６を配置し、この吸気圧センサから得られる実測値を用いてもよい。また蓄圧タンク２１内の圧力を検知するために専用のセンサを設けてもよい。
【００２６】
以上のとおり構成された第１実施形態の動作について説明する。図２において、ＥＣＵ３０はまず初期化処理として、蓄圧タンク２１内の推定圧力Ｐに初期値Ｐ０を代入する（Ｐ１０）。初期値Ｐ０としては、例えば大気圧相当値を用いることができる。次にＥＣＵ３０は、現在の負荷状態が予め定められた低負荷領域内かを判断する（Ｓ２０）。この判断は、吸気通路８の圧力と、予め定められた蓄圧しきい値との比較によって行われ、圧力が蓄圧しきい値よりも低い場合に肯定される。なお、吸気通路８の圧力に対応する値として、現在の負荷（１気筒あたりの吸入空気量Ｇａ）を用い、これと所定の基準値Ｇａ１との比較によって当該判断を行ってもよい。肯定すなわち低負荷領域内である場合には、次にＥＣＵ３０は、分岐流路弁２２を開くように、アクチュエータ２３に対して制御出力を行う（Ｓ３０）。低負荷領域内、例えば始動直後では、吸気通路８内の圧力とくにインテークマニホールド内の圧力（インマニ圧力）は負圧若しくは相当程度の低圧になっているので、ステップＳ３０における分岐流路弁２２の開動作の結果、蓄圧タンク２１内の圧力はインマニ圧力に近い負圧又は低圧にされる。この動作を蓄圧タンク２１の推定圧力Ｐに反映させるため、ＥＣＵ３０は次に、推定圧力Ｐに、スロットル開度から所定の関数によって算出された推定インマニ圧力Ｐａを代入する（Ｓ４０）。
【００２７】
ステップＳ２０で否定の場合、又はステップＳ４０の処理後には、ＥＣＵ３０は、吸気通路８の推定圧力Ｐａが、蓄圧タンク２１の推定圧力Ｐよりも高いかを判断する（Ｓ５０）。肯定すなわち吸気通路８と蓄圧タンク２１との圧力差がある場合には、ＥＣＵ３０は、現在の運転状態が、予め定められたノック領域内であるかを判断する（Ｓ６０）。この判断は、現在のエンジン回転数Ｎｅ及び負荷（１気筒あたりの吸入空気量Ｇａ）と所定の基準値Ｇａ２との比較によって行われ、現在値Ｇａが基準値Ｇａ２よりも高い場合に肯定される。
【００２８】
ステップＳ５０又はＳ６０で否定、すなわち吸気通路８が蓄圧タンク２１よりも高圧でない場合及びノック領域外である場合には、所定の終了条件が成立（Ｓ１００）するまで、例えば不図示のイグニッションスイッチのオフ操作があるまでの間、ステップＳ２０〜Ｓ６０の処理が繰返し実行される。その結果、分岐流路弁２２の閉弁及び過給によって吸気通路８内の圧力が上昇し、蓄圧タンク２１内との圧力差が増大する。
【００２９】
ステップＳ５０及びＳ６０で肯定の場合には、ＥＣＵ３０は、上述した点火時期マップによって、蓄圧タンク２１の推定圧力Ｐ、エンジン回転数Ｎｅ及び負荷（１気筒あたりの吸入空気量Ｇａ）に基づいて、点火時期を算出する（Ｓ７０）。このようにして蓄圧タンク２１の推定圧力Ｐを考慮して算出された点火時期に従って、別途の点火処理によって点火プラグ１４が点火されることになる。具体的には、蓄圧タンク２１の推定圧力Ｐが低いほど、燃焼室２に供給される空気量が減少し、圧縮行程における燃焼室２内の圧力が低くなるので、これを考慮して点火時期を進角させるように点火時期マップが設定されている。
【００３０】
Ｓ７０の処理後、ＥＣＵ３０は上述した開弁時期マップによって、エンジン回転数Ｎｅ及び負荷（１気筒あたりの吸入空気量Ｇａ）に基づき、分岐流路弁２２を開閉する（Ｓ８０）。分岐流路弁２２は、その急激ないしステップ的な開弁に伴い脈動する吸気圧力の極小部分となる負圧波が、吸気弁１１の開弁期間内に燃焼室２に到達するようなタイミングで行われる。この分岐流路弁２２の開弁によって、吸気通路８内の空気が蓄圧タンク２１に流入し、吸気通路８内の圧力が局地的に減少すると共に、蓄圧タンク２１内の圧力が増加するため、ＥＣＵ３０は後者を推定圧力Ｐの値に反映させるべく、分岐流路弁２２の開弁に起因する圧力増分Ｐｂを推定圧力Ｐに加算する（Ｓ９０）。
【００３１】
これらステップＳ２０〜Ｓ９０の処理は、エンジン１の動作中に亘って繰り返し実行され、所定の終了条件が成立（Ｓ１００）した場合、例えば不図示のイグニッションスイッチのオフ操作があった場合に本ルーチンを抜ける。
【００３２】
以上の処理の結果、本実施形態では、分岐流路弁２２の開弁によって、分岐流路２０の接続点の近傍の空気の圧力が急激ないしステップ的に低減される。この圧力の低減によって脈動する吸気圧力の極小部分となる負圧波は、吸気弁１１の開弁期間内に燃焼室２に到達するので、圧縮行程における燃焼室２内の温度が低下させられる。すなわち、図３に示されるように、本実施形態に係る分岐流路２０及び分岐流路弁２２を有しない改良前のエンジンでは、インマニ圧が実線ａのように吸気弁１１の開弁期間（ＩＶＯ−ＩＶＣ間）後期において高くなり（楕円Ａで囲んだ領域）、吸気弁１１の閉弁後であるクランク角６３０ｄｅｇにおける筒内温度も高温（例えば１８０°Ｃ）に達する。これに対し、本実施形態では、概ね楕円Ａで囲んだ領域にわたる負圧波によって、インマニ圧が一点鎖線ｂのように吸気弁１１の開弁期間（ＩＶＯ−ＩＶＣ間）後期において顕著に低減され、吸気弁１１の閉弁後であるクランク角６３０ｄｅｇにおける筒内温度も低い温度（例えば１５２°Ｃ）まで抑制される。なお、分岐流路弁２２の開弁に伴い圧力が低減された領域の空気そのものは、楕円Ａで囲んだ領域（負圧波に相当）よりも遅れて燃焼室２に到達するものと考えられるが、他の要素の影響によって図３のグラフには現れていない。
【００３３】
さらに、本実施形態において圧縮行程における筒内温度を抑制できることは、過給圧を全体的に上昇させてもノッキングを抑制できることを意味するから、本発明ではより大型の過給機を用いて過給圧を全体的に上昇させることも可能になるということができる。その場合には、インマニ圧ないし筒内圧は図３における一点鎖線ｂを全体的に上方にシフト（平行移動）させたように推移し、しかも吸気弁１１の開弁期間後期においてもピーク圧力がノック限界を超えないようにすることができる。
【００３４】
以上詳述したとおり、本実施形態では、吸気通路８の圧力が蓄圧タンク２１内の推定圧力Ｐよりも高く（Ｓ５０）且つ運転状態がノック領域にある（Ｓ６０）場合に、分岐流路弁２２の開弁によって、分岐流路２０の接続点の近傍の空気の圧力が急激に低減される。この分岐流路弁２２の開弁に伴い脈動する吸気圧力の極小部分となる負圧波は、吸気弁１１の開弁期間内に燃焼室２に到達するので、吸気温度が低下させられる。分岐流路弁２２の開弁及び閉弁が１燃焼サイクル中に少なくとも各１回行われると、その閉弁中には過給圧の減少が抑制されるので、過給圧の減少を全体として抑制することができる。
【００３５】
また本実施形態では、車両の運転状態に基づいて分岐流路弁２２の開弁時期を設定する設定手段を更に備え、ＥＣＵ３０は、設定された開弁時期に分岐流路弁２２を開弁させるので、分岐流路弁２２を適切に制御することができる。また、ここにいう車両の運転状態として、吸気通路内の圧力及び／又は温度、あるいはこれらに関連するパラメータ、例えばエンジン回転数Ｎｅ及び負荷（吸入空気量Ｇａ）を用いたので、簡易な構成によって本発明に所期の効果を得ることができる。
【００３６】
また本実施形態では、所定の外部空間を蓄圧タンク２１とすると共に、ＥＣＵ３０が、吸気通路の圧力が蓄圧しきい値よりも低い場合に分岐流路弁２２を開弁させるので（Ｓ２０・Ｓ３０）、蓄圧タンク２１内の圧力上昇を抑制でき、これによって燃焼室２内の圧力を好適に制御できる。なお、本実施形態ではステップＳ２０の判断に吸入空気量Ｇａを用いたが、代わりに吸気通路８の圧力に関連する他のパラメータを用いても良い。
【００３７】
また本実施形態では、車両の運転状態に基づいて点火時期を設定（Ｓ７０）するようにしたので、分岐流路２０の使用の影響を考慮して点火時期を更に適正にすることが可能になる。また、このような車両の運転状態が、吸気通路８の圧力及び分岐流路弁２２の動作履歴を含むこととしたので、簡易な構成によって本発明に所期の効果を得ることができる。
【００３８】
なお、本実施形態では分岐流路２０を、内部の圧力を保持しうる密閉性を有する蓄圧タンク２１としたが、本発明における分岐流路は、予め定められた外部空間、例えばコンプレッサホイール５よりも上流側の吸気通路８（例えば不図示のエアクリーナ内）、あるいはエンジンルーム内などの大気開放領域であってもよい。また、本発明の装置は、複数種類又は同種複数のこのような予め定められた外部空間を有していても良い。また、本実施形態では分岐流路弁２２を１燃焼サイクル中に１回開弁及び１回閉弁させたが、１燃焼サイクル中に複数回開閉させてもよい。
【００３９】
次に、本発明の第２実施形態について説明する。第２実施形態は、分岐流路の接続先である所定の外部空間として蓄圧タンク２１を用いると共に、蓄圧タンク２１と大気開放領域とを接続する内圧調整路と、内圧調整路を開閉する内圧調整弁と、を更に備え、ＥＣＵは更に、蓄圧タンク内の圧力が予め定められた高圧しきい値よりも高い場合に内圧調整弁を開弁させることを特徴とする。
【００４０】
図４において、第２実施形態に係るエンジン１０１は、蓄圧タンク２１と大気開放領域とを接続する内圧調整路１１０と、この内圧調整路１１０を開閉する内圧調整弁１１２とを有する。内圧調整弁１１２の形式はロータリー弁であるが、シャッター弁やバタフライ弁など任意の他のものを採用してもよい。内圧調整弁１１２及びそのアクチュエータ１１３は、吸気弁１１の開閉時期に応じて所望の時期に正確に内圧調整弁１１２が開閉するように、極めて制御応答性の高いものである。アクチュエータ１１３はＥＣＵ１３０に接続されて制御される。第２実施形態の残余の機械的構成は第１実施形態と同様であり、その制御において異なるのみであるため、同一符号を付して詳細の説明は省略する。
【００４１】
以上のとおり構成された第２実施形態の動作について説明する。図５において、ステップＳ２１０〜Ｓ２９０及びＳ３３０の処理は、上記第１実施形態（図２）におけるステップＳ１０〜Ｓ９０及びＳ１００と同様である。ステップＳ３００において、ＥＣＵ１３０は、蓄圧タンク２１内の推定圧力Ｐが、予め定められた高圧しきい値Ｐｃよりも大であるかを判断し、肯定の場合には、ＥＣＵ１３０はアクチュエータ１１３に制御出力を行い、内圧調整弁１１２を全開にさせる（Ｓ３１０）。
【００４２】
この内圧調整弁１１２の開弁の結果、蓄圧タンク２１内の圧力は開弁時間に応じて減少することになる。なお、この圧力の減少を推定圧力Ｐに反映させるために、ＥＣＵ１３０は開弁時間に応じた圧力値Ｐｄを推定圧力Ｐに代入する（Ｓ３２０）。このためにＥＣＵ１３０のＲＯＭには、開弁時間と蓄圧タンク２１内の圧力の減少量とを関連付けたマップ又は関数を予め格納するものとする。
【００４３】
以上の処理の結果、第２実施形態では、蓄圧タンク２１内の圧力の上昇を抑制することができる。
【００４４】
なお、第２実施形態の変形例として、図６に示されるように、内圧調整路１１０の末端に発電用タービン１２０を接続し、内圧調整路１１０から排出される空気流で発電用タービン１２０を駆動すると共に、発電用タービン１２０の出力軸１２１に接続された発電機１２２によって、整流回路１２３を経由して車載バッテリ１２４を充電してもよい。この場合には、排出される空気流からエネルギを回収することができる。
【００４５】
なお、上述した各実施形態では本発明をいわゆる筒内直噴形式のガソリンエンジンに応用した場合について説明したが、本発明は、燃料を吸気ポート内に噴射するポート噴射形式のエンジンや、アルコールやＬＰＧ（液化天然ガス）などを燃料として使用するエンジン、点火プラグを用いないディーゼルエンジンなどの他の形式のエンジンにおいても有効であり、同様な効果を得ることができることは言うまでもない。また、本発明は車両用以外のエンジンについても適用でき、かかる構成も本発明の範疇に属するものである。
【図面の簡単な説明】
【００４６】
【図１】本発明の第１実施形態の吸気制御装置を示す概念図である。
【図２】第１実施形態の動作を示すフローチャートである。
【図３】分岐流路弁の開閉タイミング、吸気弁の開閉タイミング及びインマニ圧力の変化を表すタイミングチャートである。
【図４】本発明の第２実施形態の吸気制御装置を示す概念図である。
【図５】第２実施形態の動作を示すフローチャートである。
【図６】第２実施形態の変形例を示す概念図である。
【符号の説明】
【００４７】
１      エンジン
２      燃焼室
３      ターボチャージャ
４      タービンホイール
５      コンプレッサホイール
８      吸気通路
１１      吸気弁
１６      スロットル弁
２０      分岐流路
２１      蓄圧タンク
２２      分岐流路弁
２６      吸気圧センサ
１１０      内圧調整路
１１２      内圧調整弁
１２０      発電用タービン
【図１】
2010019085.tif 000003
【図２】
2010019085.tif 000004
【図３】
2010019085.tif 000005
【図４】
2010019085.tif 000006
【図５】
2010019085.tif 000007
【図６】
2010019085.tif 000008